(57)【要約】    【課題】  冷却効率を向上するのが容易なプリズム構造体を提供する。    【解決手段】  液晶パネル、射出側偏光板及び視野角補償板を有する３つの液晶装置と、クロスダイクロイックプリズムとを備え、液晶パネル及び視野角補償板が液晶パネル固定部材によってクロスダイクロイックプリズムに固定されたプリズム構造体５５０であって、液晶パネル固定部材４４０Ｇは、クロスダイクロイックプリズム５００と液晶パネル４１０Ｇとの間の空間を側面から覆う側面部４４８Ｇを有していることを特徴とするプリズム構造体。【選択図】  図３
2006058722.tif 000002
【特許請求の範囲】
【請求項１】
それぞれが液晶パネル、射出側偏光板、及び前記液晶パネルと前記射出側偏光板との間に配置された他の光学要素を有し、複数の色光のいずれかを画像情報に応じて変調して画像光を生成する複数の液晶装置と、前記複数の液晶装置で生成された画像光を合成するクロスダイクロイックプリズムとを備え、前記液晶パネル及び前記他の光学要素が液晶パネル固定部材によってクロスダイクロイックプリズムに固定されたプリズム構造体であって、
前記液晶パネル固定部材は、前記クロスダイクロイックプリズムと前記液晶パネルとの間の空間を側面から覆う側面部を有していることを特徴とするプリズム構造体。
【請求項２】
請求項１に記載のプリズム構造体において、
前記液晶パネル固定部材の側面部は、前記液晶パネルの側面をも覆っていることを特徴とするプリズム構造体。
【請求項３】
請求項１又は２に記載のプリズム構造体において、
前記液晶パネル固定部材における側面部は、光吸収性の材料からなることを特徴とするプリズム構造体。
【請求項４】
請求項１〜３のいずれかに記載のプリズム構造体において、
前記液晶パネル固定部材は、前記液晶パネル及び前記射出側偏光板のいずれからも離隔させた状態で前記他の光学要素を保持していることを特徴とするプリズム構造体。
【請求項５】
請求項１〜４のいずれかに記載のプリズム構造体において、
前記射出側偏光板は、前記クロスダイクロイックプリズムに貼り付けられていることを特徴とするプリズム構造体。
【請求項６】
請求項１〜５のいずれかに記載のプリズム構造体において、
前記他の光学要素は、視野角補償板であることを特徴とするプリズム構造体。
【請求項７】
照明装置と、前記照明装置から射出される照明光を複数の色光に分離する色分離光学系と、前記色分離光学系から射出される複数の色光を画像情報に応じて変調して画像光を生成し、前記画像光を合成するプリズム構造体と、前記プリズム構造体から射出された画像光を投写する投写光学系とを備えたプロジェクタにおいて、
前記プリズム構造体は請求項１〜６のいずれかに記載のプリズム構造体であることを特徴とするプロジェクタ。
【発明の詳細な説明】
【技術分野】
【０００１】
本発明は、プリズム構造体及びプロジェクタに関する。
【背景技術】
【０００２】
図６は、プロジェクタの一般的な光学系を示す図である。図面や以下の説明において、ｚ軸は光の進行方法に沿った軸を示し、ｘ軸はｚ軸に垂直で、かつ、図６の紙面に平行な軸を示し、ｙ軸はｚ軸に垂直で、かつ、図６の紙面に垂直な軸を示す。
【０００３】
このプロジェクタ１０００ａは、図６に示すように、照明装置１００と、照明装置１００から射出された光を赤色光、緑色光及び青色光の３つの色光に分離する色分離光学系２００と、色分離光学系２００によって分離された３つの色光を画像情報に応じて変調して画像光を生成する３つの液晶装置４００ａＲ，４００ａＧ，４００ａＢと、これら３つの液晶装置４００ａＲ，４００ａＧ，４００ａＢで生成された画像光を合成するクロスダイクロイックプリズム５００と、クロスダイクロイックプリズム５００によって合成された画像光をスクリーンＳＣＲなどの投写面に投写する投写光学系６００とを備えている。
照明装置１００は、光源装置１１０、第１レンズアレイ１２０、第２レンズアレイ１３０、偏光変換素子１４０及び重畳レンズ１５０を備えている。
光源装置１１０は、発光管１１２、楕円面リフレクタ１１４、補助ミラー１１６及び平行化レンズ１１８を備えている。
【０００４】
このプロジェクタ１０００ａにおいては、近年、液晶装置４００ａＲ，４００ａＧ，４００ａＢの構成要素の全部又は一部（例えば、液晶パネル、射出側偏光板など。）とクロスダイクロイックプリズム５００とが一体化されたプリズム構造体５５０ａが広く用いられるようになっている（例えば、特許文献１参照。）。
【０００５】
図７は、そのようなプリズム構造体を説明するために示す図である。このプリズム構造体５５０ａにおいては、図７に示すように、射出側偏光板４３０Ｒ，４３０Ｇ，４３０Ｂは、クロスダイクロイックプリズム５００の各入射面に貼り付けられており、液晶パネル４１０Ｒ，４１０Ｇ，４１０Ｂは、中間部材Ｍを介してクロスダイクロイックプリズム５００の各入射面に固定されている。
【０００６】
このため、このようなプリズム構造体５５０ａによれば、ともに発熱体である液晶パネル４１０Ｒ，４１０Ｇ，４１０Ｂと射出側偏光板４３０Ｒ，４３０Ｇ，４３０Ｂとの間には空間部Ｓが形成されることになり、この空間部Ｓに冷却用空気を流すことにより、プリズム構造体５５０ａを効率的に冷却することができる。
【０００７】
ところで、近年、プロジェクタにおける液晶装置として、視野角特性やコントラスト特性などを向上させるために、液晶パネルと射出側偏光板との間に視野角補償板などの光学要素を配置した液晶装置が用いられるようになってきている。
【０００８】
図８は、そのようなプリズム構造体を説明するために示す図である。このプリズム構造体５５０ｂにおいては、図８に示すように、射出側偏光板４３０Ｒ，４３０Ｇ，４３０Ｂは、クロスダイクロイックプリズム５００の各入射面に貼り付けられており、液晶パネル４１０Ｒ，４１０Ｇ，４１０Ｂは、取り付けピン４４２Ｒ，４４２Ｇ，４４２Ｂを有する液晶パネル固定部材４４０ｂＲ，４４０ｂＧ，４４０ｂＢを介してクロスダイクロイックプリズム５００の各入射面に固定されている。液晶パネル４１０Ｒ，４１０Ｇ，４１０Ｂと射出側偏光板４３０Ｒ，４３０Ｇ，４３０Ｂとの間には、視野角補償板４５０Ｒ，４５０Ｇ，４５０Ｂが配置されている。液晶パネル４１０Ｒ，４１０Ｇ，４１０Ｂにはフレキシブル基板４１４Ｒ，４１４Ｇ，４１４Ｂが接続されており、液晶パネル４１０Ｒ，４１０Ｇ，４１０Ｂは液晶パネル枠４１２Ｒ，４１２Ｇ，４１２Ｂに保持されている。
なお、図８においては、これらの構成要素のうち、緑色光に対応する構成要素のみを分解して示している。
【０００９】
【特許文献１】特開２００２−４０３８９号公報（図６）
【発明の開示】
【発明が解決しようとする課題】
【００１０】
しかしながら、視野角補償板４５０Ｒ，４５０Ｇ，４５０Ｂをさらに備えたプリズム構造体５５０ｂにおいては、上記したプリズム構造体５５０ａに比較して冷却効率を向上するのが容易ではないという問題があった。
【００１１】
そこで、本発明は、冷却効率を向上するのが容易なプリズム構造体を提供することを目的とする。また、本発明は、上記のように優れたプリズム構造体を備えた冷却効率のよいプロジェクタを提供することを目的とする。
【課題を解決するための手段】
【００１２】
本発明の発明者らは、上記目的を達成するため、上記したプリズム構造体５５０ｂにおいて冷却効率を向上するのが容易ではない原因を徹底的に調査した。図９は、そのようなプリズム構造体の冷却構造を説明するために示す図である。その結果、上記したプリズム構造体５５０ｂにおいては、図９に示す冷却ファン５４０からの冷却用空気が、図８に示す液晶パネル固定部材４４０ｂＲ，４４０ｂＧ，４４０ｂＢにおける取り付けピン４４２Ｒ，４４２Ｇ，４４２Ｂの間の空間から側方に逃げてしまうため、液晶パネル４１０Ｒ，４１０Ｇ，４１０Ｂ及び射出側偏光板４３０Ｒ，４３０Ｇ，４３０Ｂを効率よく冷却することができなくなり、このことが、上記したプリズム構造体５５０ｂにおいて冷却効率を向上するのが容易ではない原因であることが明らかになった。
【００１３】
そこで、本発明の発明者らは、以上の知見に基づいて、冷却ファンからの冷却用空気が液晶パネル固定部材から側方に逃げることがないようにすれば、冷却効率を向上することができることに想到し、本発明を完成するに至った。
【００１４】
本発明のプリズム構造体は、それぞれが液晶パネル、射出側偏光板、及び前記液晶パネルと前記射出側偏光板との間に配置された他の光学要素を有し、複数の色光のいずれかを画像情報に応じて変調して画像光を生成する複数の液晶装置と、前記複数の液晶装置で生成された画像光を合成するクロスダイクロイックプリズムとを備え、前記液晶パネル及び前記他の光学要素が液晶パネル固定部材によってクロスダイクロイックプリズムに固定されたプリズム構造体であって、前記液晶パネル固定部材は、前記クロスダイクロイックプリズムと前記液晶パネルとの間の空間を側面から覆う側面部を有していることを特徴とする。
【００１５】
このため、本発明のプリズム構造体によれば、液晶パネル固定部材は、クロスダイクロイックプリズムと液晶パネルとの間の空間を側面から覆う側面部を有しているため、冷却ファンからの冷却用空気が液晶パネル固定部材から側方に逃げることがなくなり、冷却効率を容易に向上することができるようになる。
【００１６】
ところで、本発明の発明者らによる別の調査によれば、液晶パネルと射出側偏光板との間に視野角補償板などの他の光学要素をさらに備えたプリズム構造体においては、液晶パネルからの漏れ光や系外からの迷光が他の光学要素に入射し、他の光学要素が導光体となってスクリーン上に漏れ光や迷光を投写してしまう望ましくない現象が見られることがあることがわかった。
【００１７】
しかしながら、本発明のプリズム構造体によれば、液晶パネル固定部材は、クロスダイクロイックプリズムと液晶パネルとの間の空間を側面から覆う側面部を有しているため、上記した漏れ光や迷光が他の光学要素に入射したり、上記した漏れ光や迷光が他の光学要素から射出したりするのが抑制されるようになる。このため、本発明のプリズム構造体によれば、上記した漏れ光や迷光がスクリーン上に投写されるのを防止することができるようになるという効果も得られる。
【００１８】
本発明のプリズム構造体においては、前記液晶パネル固定部材の側面部は、前記液晶パネルの側面をも覆っていることが好ましい。
【００１９】
このように構成することにより、冷却ファンからの冷却用空気が液晶パネル固定部材から側方に逃げることがさらに効果的に抑制されるようになり、冷却効率をさらに向上することができるようになる。
【００２０】
本発明のプリズム構造体においては、前記液晶パネル固定部材における側面部は、光吸収性の材料からなることが好ましい。
【００２１】
このように構成することにより、液晶パネル固定部材における側面部が漏れ光や迷光を遮断した場合（この場合、漏れ光や迷光が側面部に照射されることになる。）に、液晶パネル固定部材における側面部がこれらの漏れ光や迷光を反射したり散乱したりすることがなくなり、さらなる迷光の発生を抑制することができるようになる。
【００２２】
本発明のプリズム構造体においては、前記液晶パネル固定部材は、前記液晶パネル及び前記射出側偏光板のいずれからも離隔させた状態で前記他の光学要素を保持していることが好ましい。
【００２３】
このように構成することにより、冷却用空気による冷却効率をさらに向上させることができる。
【００２４】
本発明のプリズム構造体においては、前記射出側偏光板は、前記クロスダイクロイックプリズムに貼り付けられていることが好ましい。
【００２５】
このように構成することにより、液晶パネル固定部材が射出側偏光板を保持する必要がなくなるため、液晶パネル固定部材の構造を単純なものにすることができる。
【００２６】
本発明のプリズム構造体においては、前記他の光学要素は、視野角補償板であることが好ましい。
【００２７】
このように構成することにより、プロジェクタのプリズム構造体として、このようなプリズム構造体を用いることにより、視野角特性の改善されたプロジェクタを構成することができるようになる。
【００２８】
本発明のプロジェクタは、照明装置と、前記照明装置から射出される照明光を複数の色光に分離する色分離光学系と、前記色分離光学系から射出される複数の色光を画像情報に応じて変調して画像光を生成し、前記画像光を合成するプリズム構造体と、前記プリズム構造体から射出された画像光を投写する投写光学系とを備えたプロジェクタにおいて、前記プリズム構造体は本発明のプリズム構造体であることを特徴とする。
【００２９】
このため、本発明のプロジェクタは、上記のように冷却効率を容易に向上することができるプリズム構造体を備えた冷却効率のよいプロジェクタとなる。また、本発明のプロジェクタは、スクリーン上に漏れ光や迷光が投写されることの抑制されたプロジェクタとなる。
【発明を実施するための最良の形態】
【００３０】
以下、本発明のプリズム構造体及びプロジェクタについて、図に示す実施の形態に基づいて説明する。
【００３１】
図１は、実施形態に係るプリズム構造体を説明するために示す斜視図である。図２は、実施形態に係るプリズム構造体の作用効果を説明するために示す図である。図２（ａ）は実施形態に係るプリズム構造体を上面から見た図であり、図２（ｂ）は図２（ａ）のＡ−Ａ断面図である。図３は、実施形態に係るプリズム構造体の作用効果を説明するために示す図である。図３（ａ）は比較例に係るプリズム構造体を上面から見た図であり、図３（ｂ）は図３（ａ）のＢ−Ｂ断面図である。
【００３２】
図４は、実施形態に係るプリズム構造体の作用効果を説明するために示す図である。図４（ａ）は実施形態に係るプリズム構造体を上面から見た図であり、図４（ｂ）は実施形態に係るプリズム構造体を用いたプロジェクタによるスクリーン上への表示例である。図５は、実施形態に係るプリズム構造体の作用効果を説明するために示す図である。図５（ａ）は比較例に係るプリズム構造体を上面から見た図であり、図５（ｂ）は比較例に係るプリズム構造体を用いたプロジェクタによるスクリーン上への表示例である。
なお、図４及び図５においては、図２及び図３に示す部材と同一の部材については、符号の記載を省略している。
【００３３】
実施形態１に係るプリズム構造体５５０は、図１及び図２に示すように、図８に示す従来のプリズム構造体５５０ｂの場合と同様に、赤色光、緑色光及び青色光の３つの色光を画像情報に応じて変調して画像光を生成する３つの液晶装置４００Ｒ，４００Ｇ，４００Ｂと、これら３つの液晶装置４００Ｒ，４００Ｇ，４００Ｂで生成された画像光を合成するクロスダイクロイックプリズム５００とを備えたプリズム構造体である。
【００３４】
実施形態に係るプリズム構造体５５０においては、図１及び図２に示すように、３つの液晶装置４００Ｒ，４００Ｇ，４００Ｂのそれぞれは、液晶パネル４１０Ｒ，４１０Ｇ，４１０Ｂ、射出側偏光板４３０Ｒ，４３０Ｇ，４３０Ｂ及び視野角補償板４５２Ｒ，４５２Ｇ，４５２Ｂを有している。この視野角補償板４５２Ｒ，４５２Ｇ，４５２Ｂは、液晶パネル４１０Ｒ，４１０Ｇ，４１０Ｂと射出側偏光板４３０Ｒ，４３０Ｇ，４３０Ｂとの間に配置されている。
【００３５】
実施形態に係るプリズム構造体５５０においては、図１及び図２に示すように、液晶パネル固定部材４４０Ｒ，４４０Ｇ，４４０Ｂは、取り付けピン４４２Ｒ，４４２Ｇ，４４２Ｂ、視野角補償板取付部４４４Ｒ，４４４Ｇ，４４４Ｂ、開口部４４６Ｒ，４４６Ｇ，４４６Ｂを有するのに加えて、クロスダイクロイックプリズム５００と各液晶パネル４１０Ｒ，４１０Ｇ，４１０Ｂとの間の空間を側面から覆う側面部４４８Ｒ，４４８Ｇ，４４８Ｂをさらに有している。
【００３６】
このため、実施形態に係るプリズム構造体５５０によれば、図１及び図２に示すように、液晶パネル固定部材４４０Ｒ，４４０Ｇ，４４０Ｂは、クロスダイクロイックプリズム５００と液晶パネル４１０Ｒ，４１０Ｇ，４１０Ｂとの間の空間を側面から覆う側面部４４８Ｒ，４４８Ｇ，４４８Ｂを有しているため、図２（実施形態の場合）及び図３（比較例の場合）に示すように、冷却ファンからの冷却用空気Ａｉｒが液晶パネル固定部材４４０Ｒ，４４０Ｇ，４４０Ｂから側方に逃げることがなくなり、冷却効率を容易に向上することができるようになる。
【００３７】
実施形態に係るプリズム構造体５５０においては、液晶パネル固定部材４４０Ｒ，４４０Ｇ，４４０Ｂの側面部４４８Ｒ，４４８Ｇ，４４８Ｂは、液晶パネル４１０Ｒ，４１０Ｇ，４１０Ｂの側面をも覆っている。
【００３８】
このため、実施形態に係るプリズム構造体５５０によれば、冷却ファンからの冷却用空気Ａｉｒが液晶パネル固定部材４４０Ｒ，４４０Ｇ，４４０Ｂから側方に逃げることがさらに効果的に抑制されるようになり、冷却効率をさらに向上することができるようになる。
【００３９】
実施形態に係るプリズム構造体５５０においては、液晶パネル固定部材４４０Ｒ，４４０Ｇ，４４０Ｂは、液晶パネル４１０Ｒ，４１０Ｇ，４１０Ｂ及び射出側偏光板４３０Ｒ，４３０Ｇ，４３０Ｂのいずれからも離隔させた状態で視野角補償板４５２Ｒ，４５２Ｇ，４５２Ｂを保持している。
【００４０】
このため、実施形態に係るプリズム構造体５５０によれば、冷却用空気Ａｉｒによる冷却効率をさらに向上させることができる。
【００４１】
実施形態に係るプリズム構造体５５０においては、射出側偏光板４３０Ｒ，４３０Ｇ，４３０Ｂは、クロスダイクロイックプリズム５００に貼り付けられている。
【００４２】
このため、実施形態に係るプリズム構造体５５０によれば、液晶パネル固定部材４４０Ｒ，４４０Ｇ，４４０Ｂが射出側偏光板４３０Ｒ，４３０Ｇ，４３０Ｂを保持する必要がなくなるため、液晶パネル固定部材の構造を単純なものにすることができる。
【００４３】
また、実施形態に係るプリズム構造体５５０によれば、液晶パネル固定部材４４０Ｒ，４４０Ｇ，４４０Ｂは、クロスダイクロイックプリズム５００と液晶パネル４１０Ｒ，４１０Ｇ，４１０Ｂとの間の空間を側面から覆う側面部４４８Ｒ，４４８Ｇ，４４８Ｂを有しているため、図４（実施形態の場合）及び図５（比較例の場合）に示すように、漏れ光Ｌ１や迷光Ｌ２が視野角補償板４５２Ｒ，４５２Ｇ，４５２Ｂに入射したり、視野角補償板４５２Ｒ，４５２Ｇ，４５２Ｂから射出したりするのが抑制されるようになる。このため、実施形態に係るプリズム構造体５５０によれば、漏れ光Ｌ１や迷光Ｌ２がスクリーンＳＣＲ上に投写されてスクリーンＳＣＲの周辺部に表示されてしまう望ましくない模様Ｌ３（図５（ｂ）参照。）が表示されるのを防止することができるようになる。
なお、符号ＬＲ，ＬＧ，ＬＢは、色分離光学系によって分離された赤色光、緑色光及び青色光をそれぞれ模式的に示している。
【００４４】
実施形態に係るプリズム構造体５５０においては、液晶パネル固定部材４４０Ｒ，４４０Ｇ，４４０Ｂは、側面部４４８Ｒ，４４８Ｇ，４４８Ｂを含めてすべての部位が、アルミニウムを黒化処理した光吸収性の材料又は非透過性樹脂材料からなる。
【００４５】
このため、実施形態に係るプリズム構造体５５０によれば、液晶パネル固定部材４４０Ｒ，４４０Ｇ，４４０Ｂにおける側面部４４８Ｒ，４４８Ｇ，４４８Ｂが漏れ光Ｌ１や迷光Ｌ２を反射したり散乱したりすることがなくなり、さらなる迷光の発生を抑制することができるようになる。また、液晶パネル固定部材４４０Ｒ，４４０Ｇ，４４０Ｂはすべての部位が上記したような放熱性のよい材料からなるため、冷却効率をさらに向上することができる。
【００４６】
上記のように実施形態に係るプリズム構造体５５０は、冷却効率を容易に向上することができるとともに、漏れ光や迷光がスクリーン上に投写されてしまうのを抑制することができるようになるため、このようなプリズム構造体５５０を、プロジェクタのプリズム構造体として用いることにより、冷却効率がよく、スクリーン上に漏れ光や迷光が投写されることの抑制されたプロジェクタとなる。
【００４７】
以上、本発明のプリズム構造体及びプロジェクタを上記の実施形態に基づいて説明したが、本発明は上記の実施形態に限られるものではなく、その要旨を逸脱しない範囲において種々の態様において実施することが可能であり、例えば次のような変形も可能である。 
【００４８】
実施形態に係るプリズム構造体５５０においては、液晶パネル固定部材４４０Ｒ，４４０Ｇ，４４０Ｂと射出側偏光板４３０Ｒ，４３０Ｇ，４３０Ｂとの間に視野角補償板４５２Ｒ，４５２Ｇ，４５２Ｂを配置したが、本発明はこれに限られず、視野角補償板４５２Ｒ，４５２Ｇ，４５２Ｂに代えて又はこれに加えて、射出側偏光板４３０Ｒ，４３０Ｇ，４３０Ｂとは別の射出側偏光板などの他の光学要素を配置することもできる。
【図面の簡単な説明】
【００４９】
【図１】実施形態に係るプリズム構造体を説明するために示す斜視図。
【図２】実施形態に係るプリズム構造体の作用効果を説明するために示す図。
【図３】実施形態に係るプリズム構造体の作用効果を説明するために示す図。
【図４】実施形態に係るプリズム構造体の作用効果を説明するために示す図。
【図５】実施形態に係るプリズム構造体の作用効果を説明するために示す図。
【図６】プロジェクタの一般的な光学系を示す図。
【図７】従来のプロジェクタにおけるプリズム構造体を説明するために示す図。
【図８】従来の他のプロジェクタにおけるプリズム構造体を説明するために示す図。
【図９】従来の他のプロジェクタにおけるプリズム構造体の冷却構造を説明するために示す図。
【符号の説明】
【００５０】
１００…照明装置、１１０…光源装置、１１２…発光管、１１４…楕円面リフレクタ、１１６…補助ミラー、１１８…平行化レンズ、１２０…第１レンズアレイ、１３０…第２レンズアレイ、１４０…偏光変換素子、１５０…重畳レンズ、２００…色分離光学系、３００…リレー光学系、４００Ｒ，４００Ｇ，４００Ｂ、４００ａＲ，４００ａＧ，４００ａＢ、４００ｂＲ，４００ｂＧ，４００ｂＢ…液晶装置、４１０Ｒ，４１０Ｇ，４１０Ｂ…液晶パネル、４１２Ｇ…液晶パネル枠、４１４Ｇ…フレキシブル基板、４２０Ｒ，４２０Ｇ，４２０Ｂ…入射側偏光板、４３０Ｒ，４３０Ｇ，４３０Ｂ…射出側偏光板、４４０Ｒ，４４０Ｇ，４４０Ｂ，４４０ａＲ，４４０ａＧ，４４０ａＢ，４４０ｂＲ，４４０ｂＧ，４４０ｂＢ…液晶パネル固定部材、４４２Ｒ，４４２Ｇ，４４２Ｂ…取り付けピン、４４４Ｒ，４４４Ｇ，４４４Ｂ…視野角補償板取付部、４４６Ｒ，４４６Ｇ，４４６Ｂ…開口部、４４８Ｒ，４４８Ｇ，４４８Ｂ…側面部、４５０Ｒ，４５０Ｇ，４５０Ｂ，４５２Ｒ，４５２Ｇ，４５２Ｂ…視野角補償板、５００…クロスダイクロイックプリズム、５４０…冷却ファン、５５０，５５０ａ，５５０ｂ…プリズム構造体、６００…投写光学系、１０００ａ…プロジェクタ、Ａｉｒ…冷却用空気、Ｌ１…漏れ光、Ｌ２…迷光、Ｌ３…模様、ＬＲ…赤色光、ＬＧ…緑色光、ＬＢ…青色光、Ｍ…中間部材、Ｓ…空間部、ＳＣＲ…スクリーン
【図１】
2006058722.tif 000003
【図６】
2006058722.tif 000004
【図７】
2006058722.tif 000005
【図８】
2006058722.tif 000006
【図９】
2006058722.tif 000007
【図２】
2006058722.tif 000008
【図３】
2006058722.tif 000009
【図４】
2006058722.tif 000010
【図５】
2006058722.tif 000011